(57)【要約】【課題】出力先の端末等に商品情報を送信出力するための商品情報データベースシステムにおいて商品仕様や価格情報、販売広告キャンペーン情報等の商品情報を電子画像情報データとして送信出力する際に出力先の端末へ送信出力するデータの設定を共通のインターフェースを用いて行い、ｘ−ｙ座標値入力などマッピング操作等の面倒な操作をせずに送信出力を可能とする商品情報データベースシステムを提供する。【解決手段】複数の異なる入力元の端末からの選択指示にて商品情報データベースより入力された一次商品情報を二次商品情報として前記入力元の端末の選択指示した出力先に対して送信出力するプログラムを有する商品情報データベースシステムにおいて、前記選択指示された出力先に対して二次商品情報データとして送信出力するデータの設定を共通のインターフェースを用いてテンプレート方式プログラムにて設定して送信出力する。【選択図】図１
2007179139.tif 000002
【特許請求の範囲】
【請求項１】
複数の異なる入力元の端末からの選択指示にて商品情報データベースより入力された一次商品情報データを二次商品情報データとして前記入力元の端末から選択指示された出力先に対して送信出力するプログラムを有する商品情報データベースシステムにおいて、単数又は複数の異なる前記出力先に対して二次商品情報データとして送信出力するデータの設定を、共通のインターフェースを用いてテンプレート方式プログラムにて設定して送信出力することを特徴とする商品情報データベースシステム。
【請求項２】
請求項１記載の商品情報データベースシステムであって、前記複数の異なる出力先に対してデータを送信出力する際に、テンプレート方式プログラムにて設定して送信可能であって、マッピング操作をせずにテンプレート方式による商品情報データとして送信可能であることを特徴とする商品情報データベースシステム。
【請求項３】
請求項１又は請求項２記載の商品情報データベースシステムであって、前記二次商品情報データとして送信出力するデータの設定を、共通のインターフェースを用いてテンプレート方式プログラムにて設定する際に、項目別に設定可能であることを特徴とする商品情報データベースシステム。
【発明の詳細な説明】
【技術分野】
【０００１】
本発明は、商品情報データベースより入力元にて入力された商品情報データを、製造業者、販売業者、サービス業者等の企業間など複数の異なる出力先に送信出力するプログラムを有する商品情報データベースシステムに関する。
【背景技術】
【０００２】
近年、商品情報としての電子情報データを一元的に管理し、それを再利用できる商品情報データベース、あるいは画像情報を含む商品情報データベースが開発されており、その情報データは、ワンソース・マルチユースデータとして紙カタログやタイレクトメール、あるいは提案書や、ＣＤ−ＲＯＭ、ＤＶＤ−ＲＯＭ、ＷＥＢ、Ｅ−Ｍａｉｌ等に再利用されている。
【０００３】
また、このような商品情報データに基づいてカラーマネージメント機能によりデジタル化された画像データは、印刷物として展開することができ、また、このような商品情報データは、ネットワーク技術の進歩により、ＷＥＢ技術を利用した同じ種類の商品を取り扱うそれぞれ製造業者（メーカー）、卸業者、小売業者等のビジネスの役割を異にする企業間連携の業界横断型の商品情報として、また、企業内においても、その部門単位（製造部門、営業部門等）にて商品情報をやり取りする企業内の部門間連携の商品情報として、そのニーズが高まっている。
【０００４】
上記のような従来の商品情報データベースシステムあるいは画像情報を含む商品情報データベースシステムは、図２６に示すようにデータベースサーバ１と、アプリケーションサーバ２と、ＷＥＢサーバ３と、データベースサーバ１からアプリケーションサーバ２に送信する画像情報を含む商品情報データを商品画像情報データに変換する画像変換エンジン４と、ＷＥＢサーバ３からネットワークを介して送信される商品情報データを、製造業者、販売業者（商社、卸業者）、関連業者（小売業者、関連子会社）等の異なるユーザのパソコン端末の表示画面に、画像情報を含む商品情報として開くためのアプリケーションプログラム５（例えばＷＥＢブラウザ）を備えたパソコン端末７から構成されている。
【０００５】
図２６に示すような従来の商品情報データベースシステムは、複数企業や企業内の複数部門が、同じデータベースをアクセスすることにより、そのデータベースに蓄積されている商品情報を共有することができるとともに、取引関係にある個々の企業単位、部門単位で、その商品情報を管理することにより、そのデータベースを一元的に管理することができる。
【０００６】
また、従来の商品情報データベースシステムにおいては、多量の商品情報データにより表示され提供される各々商品の商品情報には、その商品単位毎に、情報を表現するための様々な文字スペック（情報表現用キーワード等）が付随しており、複数の各々文字スペック定義を単位毎の各商品にリンクさせることにより、その文字スペック定義に対応する文字スペックを各商品に付随させ、その商品に関する商品情報を操作画面上に文字にて表現することができるようになっている。
【０００７】
例えば、従来商品のシリーズ物であるシリーズ商品に関する商品情報データを作成する場合、図２７のマルチスペックに示すように、従来商品の文字スペックを基本商品文字スペックとして流用して、カスタマイズ仕様の文字スペックを追加（又は削除）することにより作成できるマルチスペック機能（アプリケーションサーバ２に搭載するマルチスペック表示プログラム）を備えており、また提供される商品情報を地域限定の仕様にする場合
、基本商品文字スペックに加えて「地域限定」仕様の文字スペックを追加することにより作成できるようになっている。
【０００８】
また、複数の商品をツリー階層的に組み合わせて表現でき、親子構造などセット商品の商品構造体系に対応できるようになっており、例えば、図２８のマルチリレーションに示すように、パソコンＡは、プリンタＡと印刷用紙をセット商品としており、パソコンＢは、プリンタＢと印刷用紙とスキャナをセット商品として表現できるマルチリレーション機能（アプリケーションサーバ２に搭載するマルチリレーション表示プログラム）を備えている。
【０００９】
商品情報データベース中の商品情報データは、例えば、図２９に示すように、単一の商品構造ルールによりツリー階層別にファイリングされ、マルチスペック表示プログラムに基づいてマルチスペック表示され、マルチリレーション表示プログラムに基づいてマルチリレーション表示されている。
【００１０】
図３０は、プロバイダI （情報提供者）の商品情報データベース内から、ユーザIII （クライアント）である出力先データベース内への商品情報データの流れを説明する従来の商品情報データベースシステムのブロック図である。
【００１１】
従来の商品情報データベースシステムにおいては、プロバイダI の商品情報データベースＩB 内のデータは、プロバイダI 側が直接、カタログやチラシのためのデータとして一次利用したり、ユーザIII である複数の異なる各出力先の営業担当者などが、商品情報データベースＩB 内から、カタログやチラシのためのデータとしてＣＤ−ＲＯＭや他のデータベースIIIB内のデータに取り込んで二次利用する場合がある。
【００１２】
この場合、プロバイダI 側の商品情報データベースＩB 内のデータを、ユーザIII 側のデータベースIIIBに出力する際は、他の形式にデータを変換するためのデータ変換プログラムIIとして、複数の変換プログラムIIA 、IIB 、IIC 、・・・を使用している。
【００１３】
データベースＩB から各変換プログラムIIA 、IIB 、IIC 、IID ・・・にデータを渡す際には、各変換プログラム毎に独自の設定画面を用いる必要があった。また、それぞれ変換プログラムのインターフェースは操作方法などが異なるため、各変換プログラム毎に操作方法を覚える必要があった。また、毎回、マッピング設定を行う仕様になっている場合もあるため、設定操作方法が煩雑であった。
【００１４】
図３１は、データベースＩB から変換プログラムIIA を用いてデータ変換してユーザIII 側のデータベースIIIBに出力する場合の例であり、変換プログラムIIA は、例えば、設定画面はなく、設定を変更するためには、ユーザIII （クライアント）の持つデータベースIIIBに個別に対応してプログラムを直接変更する必要があった。また、入力元（データベースIB）と出力先（データベースIIIB）の対応付けは、それぞれ全て変換プログラム内で固定されていて、設定変更時に、プログラム自体を改修する必要があった。
【００１５】
また、図３２に示すように、データベースＩB から変換プログラムIIA を用いてデータ変換してユーザIII 側のデータベースIIIBに出力する場合、その変換プログラムIIA のプログラムのみではデータ変換が困難な場合は、一度、変換プログラムIIA をＣＳＶファイルへと変換した後に、手作業により出力先（データベースIIIB）の形式に調整してデータベースIIIB内に格納することも必要な場合があり、作業負荷が大きかった。
【発明の開示】
【発明が解決しようとする課題】
【００１６】
ところで、上記のような従来の商品情報データベースシステムの場合、複数の異なる出力先に送信するデータの設定を、それぞれ別々のインターフェースを用いて行い、マッピング操作等の面倒な操作を行った後に、データを送信する必要があった。
【００１７】
本発明の課題は、複数の異なる入力元の端末からの選択指示にて商品情報データベースより入力された一次商品情報データを二次商品情報データとして、出力先の端末等に商品情報を送信出力するための商品情報データベースシステムにおいて、前記入力元の端末から選択指示された複数の異なる出力先又は単数の出力先へ、商品仕様や価格情報、販売広告キャンペーン情報等の商品情報を、電子画像情報データとして送信出力する際に、複数の異なる出力先の端末へ送信出力するデータの設定を共通のインターフェースを用いて行い、表示画像のｘ−ｙ座標値入力などマッピング操作等の面倒な操作をせずに送信出力を可能とする商品情報データベースシステムを提供することにある。
【課題を解決するための手段】
【００１８】
本発明の請求項１に係る発明は、複数の異なる入力元の端末からの選択指示にて商品情報データベースより入力された一次商品情報データを二次商品情報データとして前記入力元の端末から選択指示された出力先に対して送信出力するプログラムを有する商品情報データベースシステムにおいて、単数又は複数の異なる前記出力先に対して二次商品情報データとして送信出力するデータの設定を、共通のインターフェースを用いてテンプレート方式プログラムにて設定して送信出力することを特徴とする商品情報データベースシステムである。
【００１９】
本発明の請求項２に係る発明は、上記請求項１に係る商品情報データベースシステムであって、前記複数の異なる出力先に対してデータを送信出力する際に、テンプレート方式プログラムにて設定して送信可能であって、マッピング操作をせずにテンプレート方式による商品情報データとして送信可能であることを特徴とする商品情報データベースシステムである。
【００２０】
本発明の請求項３に係る発明は、上記請求項１又は請求項２に係る商品情報データベースシステムであって、前記二次商品情報データとして送信出力するデータの設定を、共通のインターフェースを用いてテンプレート方式プログラムにて設定する際に、項目別に設定可能であることを特徴とする商品情報データベースシステムである。
【発明の効果】
【００２１】
本発明の商品情報データベースシステムによれば、データベース内のデータを複数の異なる各々出力先に対応した送信出力データに変換するためのデータ変換プログラムのインターフェースを１つに纏めたことにより、複数の操作方法を覚える必要がない。そのために、複数の異なる各々出力先に対応してデータ変換する際のデータ変換操作が容易になり、その操作方法の習得、学習時間を大幅に短縮できるようになる。
【００２２】
また、複数の異なる各々出力先に対応して送信出力する商品情報データの加工処理を行う際に、表示画像のｘ−ｙ座標値入力などマッピング操作による加工形式を、テンプレートを用いた加工形式によりデータを纏め、出力先端末に対して送信出力する時に、各々出力先に対応して、データ選択して、そのデータ（商品情報等）をテンプレート（フォーマット）化して送信出力するテンプレート方法を採用するため、毎回、複雑なマッピング設定を行う手間を解消できる。また、出力操作がマッピング操作よりも簡単になるため、出力された複数の異なる入力元の端末からの選択指示にて商品情報データベースより入力された一次利用商品情報データを、二次利用商品情報データとして利用したい場合には、直ちにその二次利用のための二次利用商品情報データを作成するためのプログラムを実行することが可能となる。
【００２３】
本発明の商品情報データベースシステムにおけるデータ入力元は、例えば、ユーザ、クライアント、商品情報提供者、データベースシステム管理者、あるいはユーザから依頼を受けたクライアント、商品情報提供者、データベースシステム管理者のうちのいずれか１又は複数の端末、又は全ての端末であり、データ出力先は、ユーザ、クライアント、商品情報提供者、データベースシステム管理者のうちのいずれか１乃至複数又は全ての端末、データベース、記録媒体のいずれかである。例えば、データ出力先は、端末を操作するユーザ本人、又はユーザ本人の許可を得た他のユーザや第三者のデータベース、ＣＤ−ＲＯＭなど記録媒体などであり、また、本発明の商品情報データベースシステムにおけるデータベース１は、各商品それぞれについて価格などの商品データ、印刷用の画像などのデータを保持したデータベースであり、データベースに登録するスペックや、スペック間・商品間・カテゴリ間などの関係を示すリレーションを全て独自にカスタマイズすることができる。そのために、本発明の商品情報データベースシステムにより、ユーザ本人が、テンプレート形式でカタログ等を制作し、そのデータをユーザ本人が入手できるだけでなく、他のユーザや第三者のデータベースやＣＤ−ＲＯＭなど記録媒体にネットワークを介して送信することができ、利用、展開の自由度が高いものである。
【発明を実施するための最良の形態】
【００２４】
本発明の商品情報データベースシステムを、その実施の形態に基づいて、以下に図面を参照しながら詳細に説明すれば、図１は、商品情報データベースシステムのハードウエアの構成例を示すブロック図であり、商品情報データを収納したデータベース１と、該データベース１に接続されて商品情報データ管理機能や画像データ処理機能、入力元インターフェース（入出力交信対応可能プロトコル機能）機能及び出力先インターフェース機能（入出力交信対応可能プロトコル機能）等を備えたＷＥＢサーバ３（アプリケーションサーバ）を備える。
【００２５】
また、該ＷＥＢサーバ３にインターネット、ＬＡＮ等のネットワークＮを介して接続されて商品情報データを商品文字情報や商品情報として開くためのアプリケーションプログラム５（例えばＷＥＢブラウザ）を備えた商品情報データサービスを提供する側のＷＥＢサーバ３を利用していない不特定多数の商品情報データ利用者又はそのＷＥＢサーバ３を利用している商品情報データ利用者を含む全てのユーザ、商品情報データサービスを提供する側のＷＥＢサーバ３を利用する特定なユーザとしてのクライアント、商品情報提供者、データベースシステム管理者、あるいはユーザから入力の依頼を受けたデータベースシステム管理者のうちのいずれか１又は複数の端末、又は全ての端末である入力元の端末７として、例えば、製造業者、販売業者（商社、卸業者）、関連業者（小売業者、関連子会社）等の各ユーザ端末（パソコン）を備える。
【００２６】
また、前記入力元の端末７及びＷＥＢサーバ３からの指令により、前記データベース１から読み出される商品情報データをテンプレートデータに変換して、テンプレート化（フォーマッティング、図表化、グリッド化）された商品情報データとして出力するテンプレート変換プログラムを備えたテンプレート変換エンジン４と、該テンプレート変換エンジン４にて変換出力されたテンプレート化商品情報データを収納するユーザ、クライアント、商品情報提供者、データベースシステム管理者のうちのいずれか１又は複数の端末、又は全ての出力先の記憶媒体８から構成されている。
【００２７】
図２は、データベース１に収納されている商品情報データを、共通プログラム（アプリケーションプログラム）を搭載したＷＥＢサーバ３と、テンプレート変換プログラムＡ、Ｂ、Ｃ、Ｄを搭載したテンプレート変換エンジン４とを介してテンプレート化して、それぞれ変換データａ、ｂ、ｃ、ｄを作成する過程を説明するブロック図である。
【００２８】
図２に示すように、データベース１に収納されている商品情報データは、ＷＥＢサーバ３に読み出された後、テンプレート変換エンジン４により、それぞれ変換プログラムＡ、Ｂ、Ｃ、Ｄに基づいてテンプレート化されて、それぞれ変換データａ、ｂ、ｃ、ｄが作成される。
【００２９】
本発明の商品情報データベースシステムにおいては、図２に示すようにデータベース１に収納されている商品情報データを一次商品情報データとして扱い、その一次商品情報データを、共通プログラム（アプリケーションプログラム）を搭載したＷＥＢサーバ３と、テンプレート変換プログラムＡ、Ｂ、Ｃ、Ｄを搭載したテンプレート変換エンジン４とを介してテンプレート化して、作成されたそれぞれ変換データａ、ｂ、ｃ、ｄを二次商品情報データと定義するものである。
【００３０】
また、本発明における上記商品情報データベース１の一次商品情報データは、複数の異なる入力元であるユーザ、クライアント、商品情報提供者、データベースシステム管理者のうちのいずれか１又は複数、又はその全てのデータベース利用者側が直接、カタログやチラシのためのデータとして一次利用したり、データベース利用者である複数の異なる出力先であるユーザ、クライアント、商品情報提供者、データベースシステム管理者のうちのいずれか１又は複数、又はその全ての各出力先の営業担当者などが、商品情報データベース１内から、カタログやチラシのためのデータとしてＣＤ−ＲＯＭや他のデータベース内のデータに取り込んで二次利用するものである。しかしながら、上記商品情報データベース１の一次商品情報データの利用展開については、上記利用形態に限定されるものではない。
【００３１】
また、本発明において商品情報とは、商品の情報を交換、伝達するための情報媒体（メディア）が特定されていない商品情報本体（情報内容）及びその商品情報本体を電子データとしてデータ化したもの全般を示すものであり、商品情報データとは、その商品情報本体を電子データとしてデータ化したもののみを意味するものである。
【００３２】
次に、本発明の商品情報データベースシステムのデータベース１に収納されている商品情報データのデータ構造について、その一例を、以下に図３を参照しながら詳細に説明する。
【００３３】
図３は、同種の商品を取り扱う各企業（又は各企業とそのグループ企業）である製造業者、販売業者（商社、卸業者）、関連業者（小売業者、関連子会社）等の複数の異なる入力元である各ユーザや、１つの企業内の各部門の各ユーザのうち、商品情報データベースシステムのシステム管理を委託されている指定ユーザ（１乃至複数名の指定されたシステム管理者）のパソコン端末７から、ネットワークＮを介して、ＷＥＢサーバ３に対してアクセスすることにより、パソコン端末７の画面上に一次商品情報としての同種の各商品の商品情報データに関するデータ構造を説明するシステム管理画面であり、各商品毎に及び各々部門毎に又は各企業毎に商品構造を表す商品情報表示項目別に情報データ階層別形成プログラムに基づいてアクセスビューセット１〜ｎとして設定表示された表示画面を示している。
【００３４】
図３は、同種の商品を取り扱う１企業内の各部門又は各企業のうち、例えば、製造部門用又は製造企業、メーカー用のある１つの商品Ａの商品構造を示すアクセスビューセットと、営業部門用又は商社用のある１つの商品Ａの商品構造を示すアクセスビューセットであり、１つのアクセスビューセットは、１つ以上のアクセスビュー１〜ｎと、各アクセスビュー１〜ｎ毎にスペックタイプ１〜ｎと、各スペックタイプ１〜ｎ毎に文字スペック１〜ｎから構成されていて、それぞれ１頁毎に２頁画面として、又は共通の１頁画面として、ある１つの商品Ａの商品構造を表す商品情報が、情報データ階層別形成プログラムに基
づいて各部門毎に又は各企業毎に情報表示項目別に設定表示されている。
【００３５】
図３に示すように、システムの入力元の各部門毎又は各企業毎に設定表示される各アクセスビューセット１〜ｎには、情報データ階層別形成プログラムに基づいてアクセスビュー１〜ｎとして「商品Ａのプロダクトアクセスビュー」が設定表示され、例えば、アクセスビューの１つのある商品Ａのスペックタイプとして、「製品仕様」、「価格情報」、「広告情報」等の文字項目（情報表示項目）が文字情報として設定表示される。
【００３６】
またアクセスビューには、情報データ階層別形成プログラムに基づいて、情報表示項目のうち画像情報として表示すべき文字項目として、画像リンク１〜ｎが設定表示され、「メイン画像リンク」、「サブ画像リンク」、「ＣＡＤファイルリンク」、「関連商品１リンク」、「関連商品２リンク」、・・・「関連商品ｎリンク」等の文字項目（情報表示項目）が次の画像情報等を案内するための文字情報（案内情報）として設定表示される。
【００３７】
前記商品Ａのプロダクトアクセスビューの各々文字項目のうち、例えば、スペックタイプの「製品仕様」の項目には、文字スペックとして、「幅」、「重量」、・・・「密度」等の文字項目が、また、スペックタイプの「価格情報」の項目には、文字スペックとして、「定価」、「仕入れ値」、・・・「マージン」等の文字項目が、また、スペックタイプの「広告情報」の項目には、文字スペックとして、「コピー」、「ロゴ」等の文字項目がそのツリー階層別の表示項目として表示される。
【００３８】
この表示方式としては、商品Ａ、Ｂ、Ｃ等の各商品毎に、マルチスペック表示プログラムに基づいて、その各々商品Ａ、Ｂ、Ｃ、・・・の商品情報を表現するための複数の文字スペック定義をリンクさせる。
【００３９】
そして、その文字スペック定義に基づいて、様々な文字スペック（商品の属性を記述するための情報表現用キーワード群）を付随させることにより、図３に示すように、各々商品Ａ、Ｂ、Ｃ、・・・の「製品仕様」及び「幅」、「重量」、・・・「密度」等の文字項目、「価格情報」及び「定価」、「仕入れ値」、・・・「マージン」等の文字項目、「広告情報」及び「コピー」、「ロゴ」等の文字項目が、情報データ階層別形成プログラムに基づいて、各表示項目別にマルチスペック表示されて、各々入力元の端末７の画面上にシステム管理画面として設定表示される。
【００４０】
また、情報表示項目のうち、画像情報として表示すべき項目には、画像リンク１〜ｎとして、メイン画像、サブ画像、ＣＡＤファイリング等の画像情報を案内するための「メイン画像リンク」、「サブ画像リンク」、「ＣＡＤファイルリンク」、「関連商品１リンク」、「関連商品２リンク」、・・・「関連商品ｎリンク」等の文字項目（案内項目）も同様に、各表示項目別にマルチスペック表示（又はマルチリレーション表示）されて、各々入力元の端末７の画面上にシステム管理画面として設定表示される。
【００４１】
また、前記各文字項目のうち、次のアクセス画面にて画像情報として表示すべき１乃至複数の文字項目には、その文字項目毎にマルチリレーション表示プログラムに基づいて、各画像リンク１〜ｎ毎に商品情報を表現するための１乃至複数の画像データをリンクさせて、画像表示すべき各商品情報表示文字項目、「メイン画像リンク」、「サブ画像リンク」、「ＣＡＤファイルリンク」、「関連商品１リンク」、「関連商品２リンク」、・・・「関連商品ｎリンク」等の文字項目が表示されるとともに、その文字項目に関する商品情報を表現するための画像情報が設定され、画像情報として前記端末７にマルチリレーション表示される。
【００４２】
例えば、画像情報として表示すべき文字項目としては、図３に示すように、「メイン画
像リンク」、「サブ画像リンク」、「ＣＡＤファイルリンク」、その商品の「関連商品１リンク」、・・・「関連商品ｎリンク」があり、その商品に関するメイン画像（例えば商品全体の形状、色調等を表示する斜視画像、正面画像、側面画像、平面画像等）、サブ画像（商品の部分画像、商品の内部画像等）、ＣＡＤファイル（設計図、ＣＧ画像等）、関連商品１〜ｎの画像（例えば、セット商品の画像等）が、画像情報として前記端末７にマルチリレーション表示されるものである。
【００４３】
図４は、例えば、デジタルカメラ等の商品Ａの商品構造ルールに基づくアクセスビュセット１、アクセスビュセット２のデータ構造と、そのアクセス権限を説明する説明図であり、アクセスビュセット１内には、商品Ａを取り扱う同一企業内の各部門である「横浜工場」、「広報部」、「東京販売社」毎のそれぞれアクセスビュー１、２、３と、他企業毎のそれぞれアクセスビュー４、５と、プロダクト統括マネージャー向けのアクセスビュー６がファイリングされていて、各アクセスビューには、商品Ａに関する製造情報、広報情報、販売情報に関する情報データ、及び商品Ａの画像データ、ＣＡＤデータ、商品Ａのセット商品に関する情報データが、各文字項目毎にファイリングされており、各表示項目別に文字項目がマルチスペック表示され、且つ各文字項目毎にアクセス権限（白地領域で示す可視権限）が付与されて、例えばユーザ等の各々入力元の端末７の画面上に表示され、また、商品Ａの画像データ、ＣＡＤデータ、商品Ａのセット商品の各文字項目毎に画像情報がリンクされて前記端末７に画像としてマルチリレーション表示されるようになっている。
【００４４】
また、アクセスビューセット２内には、商品Ａを取り扱う同一企業内の各海外部門である「上海工場」、「上海販売社」毎のそれぞれアクセスビュー７、８と、プロダクト統括マネージャー向けのアクセスビュー９がファイリングされていて、各アクセスビューには、商品Ａに関する製造情報、広報情報、販売情報に関する情報データ、及び商品Ａの画像データ、ＣＡＤデータ、商品Ａのセット商品に関する情報データが、各文字項目毎にファイリングされており、各表示項目別に文字項目がマルチスペック表示され、且つ各文字項目毎にアクセス権限（白地領域で示す可視権限）が付与されて、各々入力元の端末７の画面上に表示され、また、商品Ａの画像データ、ＣＡＤデータ、商品Ａのセット商品の各文字項目毎に画像情報がリンクされて、前記端末７に画像としてマルチリレーション表示されるようになっている。なお、プロダクト統括マネージャー向けのアクセスビュー６、アクセスビュー９には、同一のプロダクト統括マネージャーである入力元を登録することができる。
【００４５】
図５は、本発明システムにおいて、各商品Ａ、Ｂ、Ｃ、・・・毎の商品構造ルールを表現するためのツリー階層別のデータ構造を示し、マルチスペック表示形態を説明するブロック図であり、スペックタイプ１、２、・・・スペックタイプｎに文字項目として分類され、商品Ａ、Ｂ、Ｃ、・・・毎の「製品仕様」、「価格情報」、「広告情報」等の文字項目（情報表示項目）が文字情報として表示される。
【００４６】
また、商品構造ルールとして、リンク１、２、・・・リンクｎに文字項目として分類され、各商品Ａ、Ｂ、Ｃ、・・・毎の「メイン画像リンク」、「サブ画像リンク」、「ＣＡＤファイルリンク」、「関連商品１リンク」、「関連商品２リンク」、・・・「関連商品ｎリンク」等の文字項目（情報表示項目）が、入力元の端末７に、次の画像情報等を案内するための文字情報（案内情報）として図６に示すように表示される。
【００４７】
前記各々文字項目のうち、各スペックタイプ１、２、・・・ｎには、マルチスペック表示プログラムに基づいて、０個以上のスペックが付与され、例えば、スペック１、２、・・・スペックｎが付与されて、スペックタイプ１として「製品仕様」の項目には、スペック１として「幅」、スペック２として「重量」、スペック３として「密度」等の文字項目
が、また、スペックタイプ２として「価格情報」の項目には、スペック１として「定価」、スペック２として「仕入れ値」、スペック３として「マージン」等の文字項目が、また、スペックタイプ３として「広告情報」の項目には、スペック１として「コピー」、スペック２として「ロゴ」等の文字項目が、前記端末７にツリー階層別文字情報として、図６に示すようにマルチスペック表示される。
【００４８】
また、各々文字項目のうち、各リンク１、２、・・・ｎには、画像表示すべき各商品Ａ、Ｂ、Ｃ、・・・の画像、ＣＡＤファイル、関連商品（セット商品）との関連をマルチリレーション表示プログラムに基づいて記述し、例えば、リンク１として「メイン画像リンク」の文字項目にはメイン画像データがリンクされ、リンク２して「サブ画像リンク」の文字項目にはサブ画像データがリンクされ、リンク３として「ＣＡＤファイルリンク」の文字項目にはＣＡＤファイル画像データがリンクされ、リンク４、５として「関連商品１リンク」、「関連商品２リンク」の文字項目にはそれぞれ関連商品１、２の商品データがリンクされて、前記入力元の端末７に各文字項目に関する画像情報としてマルチリレーション表示される。
【００４９】
本発明のシステムにおいて、前記商品情報管理データとして商品情報表示文字項目を表現するためには、マルチスペック表示プログラムに基づいて、各アクセスビュー１〜ｎ毎にスペックタイプ１〜ｎを設定し、各スペックタイプ１〜ｎには複数の文字スペック定義をリンクさせ、その文字スペック定義に基づく様々な文字スペックを付随させることにより文字スペック１〜ｎを設定することにより各商品情報表示文字項目が端末７の管理画面として設定表示される。
【００５０】
また、前記文字項目のうち画像表示すべき文字項目毎にマルチリレーション表示プログラムに基づいて、各アクセスビュー１〜ｎ毎に画像リンク１〜ｎを設定し、各画像リンク１〜ｎ毎に、商品情報を表現するための１乃至複数の画像データをリンクさせることにより、画像表示すべき各商品情報表示文字項目と、その文字項目に関する商品情報を表現するための画像情報が、端末７の管理画面として設定表示される。
【００５１】
次に、本発明の商品情報データベースシステムのテンプレート作成動作について、図１に示すシステムブロック図、及び図７に示すシステムフローチャート図に基づいて説明する。
【００５２】
＜ステップＳ１＞
まず、入力元であるユーザは、ユーザ端末７より、ネットワークＮを介してＷｅｂサーバ３にアクセスし、データベース１から、入力元のテンプレート作成用の元データである、画像情報を含む一次商品情報データである各々マルチスペックのスペックＩＤ一覧、及びマルチリレーションのリレーションＩＤ一覧などのデータ構造が取得されて、端末７の画面に出力表示される。
【００５３】
＜ステップＳ２＞
データ構造の取得結果がＯＫであれば、ユーザは次のステップＳ３に進む。取得結果がＯＫでなければ、エラーとして、ステップＳ１に戻り、再度、ユーザはユーザ端末７よりネットワークＮを介してｗｅｂサーバ３にアクセスして、テンプレート作成用の元データとしてのデータ構造の取得を行う。
【００５４】
＜ステップＳ３＞
ユーザは、ユーザ端末７により、取得した前記データ構造（スペックＩＤ一覧、及びリレーションＩＤ一覧）の中から、所望の構造ルールをｗｅｂサーバ３に入力指定することにより、データベース１から、その構造ルールに対応したスペックＩＤ及びリレーション
ＩＤが取得されて端末７の画面に出力表示される。
【００５５】
＜ステップＳ４＞
次に、ユーザはユーザ端末７により、取得したスペックＩＤを用いて出力スペックをｗｅｂサーバ３に指定入力することにより、データベース１から、そのスペックＩＤに対応する品名、品番、価格等が読み出され、端末７の画面に出力表示される。
【００５６】
＜ステップＳ５＞
ユーザはユーザ端末７により、前記スペックＩＤに関して出力された各スペックにおけるスペック間の対応付け（出力された各スペック（項目）が固定フォーマットを持つ後述するテンプレート内におけるどの項目に該当するかの選択）をＷｅｂサーバ３に指定入力することにより、データベース１から、前記スペックＩＤに関する各々スペックがｗｅｂサーバ３に読み出されて、品名及び商品名の対応付けが行われる。
【００５７】
＜ステップＳ６＞
次に、ユーザはユーザ端末７により、取得したリレーションＩＤを用いて出力リレーションをｗｅｂサーバ３に指定入力することにより、データベース１から、そのリレーションＩＤに対応する各リレーション、及びメイン画像等の一次商品情報としての画像情報を含む商品情報データが読み出されて、端末７の画面に出力表示される。
【００５８】
＜ステップＳ７＞
続いて、ユーザはユーザ端末７により、前記リレーションＩＤに関して出力された各リレーションのリレーション間や、前記メイン画像等の一次商品情報としての画像情報を含む商品情報データのデータ間の対応付け（出力された各リレーションが固定フォーマットを持つ後述するテンプレート内におけるどのリレーションに該当するかの選択）をｗｅｂサーバ３に指定入力することにより、データベース１から、前記リレーションＩＤに関する各々リレーションがｗｅｂサーバ３に読み出されて、リレーションの対応付けが行われる。
【００５９】
＜ステップＳ８＞
続いて、前記スペック間の対応付け、リレーション間の対応付け、メイン画像データ間の対応付けなどの設定の確認（確定）を行い、設定がＯＫであればステップＳ９に進む。設定にエラーがあれば、ステップＳ３に戻り、再度、構造ルールの指定入力を行い、ステップＳ８まで進む。
【００６０】
＜ステップＳ９＞
ユーザはユーザ端末７により、テンプレート名の指定入力することにより、データベース１（又はｗｅｂサーバ３）に収納されているテンプレートファイルの中から希望するテンプレート（フォーマット）が選択される。そして、テンプレート変換エンジン４内にて変換プログラム（テンプレート化プログラム）に基づいて、そのテンプレート内に、前記ステップＳ８にて対応付けして設定されたスペック及びメイン画像等の一次商品情報としての商品情報データが嵌め込まれてテンプレートに変換される。そして、出力先の端末であるユーザ端末７の画面に、前記設定されたスペック及びメイン画像等の商品情報データが二次商品情報としてテンプレート化されて出力表示される。
【００６１】
＜ステップＳ１０＞
続いて、出力先であるユーザは、そのユーザ端末７の画面にて、テンプレート化された二次商品情報としての前記商品情報データの正当性のチェック行を目視にて行い、対応付けなどに矛盾がないか、設定上の無理はないかなどの確認を行う。
【００６２】
＜ステップＳ１１＞
その確認結果がＯＫであれば、ステップＳ１２に進む。その確認結果がエラーであればステップＳ３又はステップＳ９に戻り、再度、構造ルールの指定入力、又はテンプレート名の指定入力を行い、ステップＳ１１まで進む。
【００６３】
＜ステップＳ１２＞
続いて、ユーザは、ユーザ端末７にて、出力表示されているテンプレート化された二次商品情報である商品情報データの登録（ファイル化）を行う。
【００６４】
このテンプレート化された商品情報データ（二次商品情報データ）の登録ファイルは、ユーザの指定する出力個所（例えばデータベース又はＣＤ−ＲＯＭ等）の記録媒体８に転送出力する。又は、データベース１内に収納されてもよい。
【００６５】
そして、ユーザは、必要とする時に、その記録媒体８からテンプレート化された商品情報データ（二次商品情報データ）を読み出して利用することができる。また、ユーザ端末７をネットワークＮを介してｗｅｂサーバ３に接続して、データベース１からテンプレート化された商品情報データ（二次商品情報データ）を読み出して利用することができ、以上が、本発明の商品情報データベースシステムのテンプレート作成動作の一例である。
【００６６】
本発明の商品情報データベースシステムのテンプレート作成動作の他の実施例を、図１に示すシステムブロック図、及び図８に示すシステムフローチャート図に基づいて以下に説明する。
【００６７】
＜ステップＳ１＞
まず、入力元であるユーザは、ユーザ端末７より、ネットワークＮを介してＷｅｂサーバ３にアクセスし、データベース１に収納されている一次商品情報としての画像情報を含む商品情報データの中から、テンプレート作成用の元データとして必要とする一次商品情報データを選択し、ユーザ端末７の画面に出力表示する。
【００６８】
＜ステップＳ２＞
情報データの選択結果がＯＫであれば、ユーザは次のステップＳ３に進む。取得結果がＯＫでなければ、エラーとして、ステップＳ１に戻り、再度、ユーザはユーザ端末７よりネットワークＮを介してｗｅｂサーバ３にアクセスして、テンプレート作成用の元データとして必要とする一次商品情報データを選択し、ユーザ端末７の画面に出力表示する。
【００６９】
＜ステップＳ３＞
次に、ユーザはユーザ端末７により、テンプレート名の指定入力することにより、データベース１（又はｗｅｂサーバ３）に収納されているテンプレートファイルの中から希望するテンプレート（フォーマット）を選択して、ユーザ端末７の画面に出力表示して設定する。
【００７０】
＜ステップＳ４＞
ここでユーザは、ユーザ端末７の画面に表示された選択した前記一次商品情報データである商品情報データ、及び設定したテンプレート名に矛盾がないかを目視にてチェックする。
【００７１】
＜ステップＳ５＞
チェック結果がＯＫであれば、ステップＳ６に進む。チェック結果がエラーであれば、ステップＳ１又はステップＳ３に戻り、ステップＳ５まで進む。
【００７２】
＜ステップＳ６＞
次に、チェック結果がＯＫの選択した前記一次商品情報データ、及び設定したテンプレートデータ（フォーマットレイアウトデータなど）を、データベース１、ｗｅｂサーバ３からテンプレート変換エンジン４に出力する。
【００７３】
＜ステップＳ７＞
テンプレート変換エンジン４内では、出力された前記一次商品情報データ、及び設定したテンプレートデータが取得される。
【００７４】
＜ステップＳ８＞
テンプレート変換エンジン４内に取得された前記一次商品情報データ、及び設定したテンプレートデータは、テンプレート変換プログラム（Ａ、Ｂ、Ｃ、Ｄ、・・・）に基づいてデータ変換されて、テンプレート（あるいはフォーマット）内に、画像情報を含む前記一次商品情報データの各商品情報が嵌め込まれて、二次商品情報としてテンプレートに変換される。そして、ユーザ端末７の画面には、画像情報を含む二次商品情報がテンプレート化されて出力表示される。
【００７５】
＜ステップＳ９＞
続いて、ユーザは、ユーザ端末７の画面にて、テンプレート化された前記二次商品情報データの正当性のチェック行を目視にて行い、対応付けなどに矛盾がないか、設定上の無理はないかなどの確認を行う。
【００７６】
＜ステップＳ１０＞
その確認結果がＯＫであれば、ユーザ端末７にて、出力表示されているテンプレート化された画像情報を含む二次商品情報データの登録（ファイル化）を行う。また、必要に応じて、テンプレート化された二次商品情報データの登録ファイルを、ユーザの指定出力個所（例えばデータベース又はＣＤ−ＲＯＭ等）の記録媒体８に転送出力して、テンプレート化された商品情報データの作成動作は終了（ＥＮＤ）する。その確認結果がエラーであれば、ステップＳ１又はステップＳ３に戻り、再度、一次商品情報データの選択、又はテンプレート名の選択を行い、ステップＳ９まで進む。以上が、本発明の商品情報データベースシステムのテンプレート作成動作の他の例である。
【００７７】
ところで、図９は、商品情報データのスペックとリレーションの構造ルール（データ構造）を示し、スペックとは、データベース１中の各データ項目を示し、スペックタイプとして、例えば、共通スペック、商品スペック等があり、共通スペックの下には品目と価格等、商品スペックの下にはサイズと色等がある。スペックタイプとスペックとは、フォルダとファイルのような関係を持つ。
【００７８】
リレーションとは各スペック間やデータ間の属性を定めるものであり、属性名として、例えば関連素材、関連画像等があり、関連素材の下には属性値として、商品及びその商品に関する情報の需要者（商品顧客、エンドユーザー、商品購買者等）に対する情報プレゼンテーション用の情報（商品サービスソリューション用などプレゼンテーション情報加工用プログラムソフト名など）、例えば、Ｅｘｃｅｌ対応、Ｗｏｒｄ対応、ＰｏｗｅｒＰｏｉｎｔなどに対応するＭＳ−Ｏｆｆｉｃｅ（Ｍｉｃｒｏｓｏｆｔ  Ｏｆｆｉｃｅ  Ｓｙｓｔｅｍ）、ＣＡＤ等、関連画像の下には属性値として、メイン画像、サブ画像等がある。属性名と属性値とは、フォルダとファイルのような関係を持つ。
【００７９】
図１０は、テンプレートファイルのデータ構造ルール（データ構造）の一例を示し、例えば順に、1 ( 構造ルールＩＤ）、1,1 、1,2 、1,3 、2,1 、2,2 （指定スペック情報）、0,1,4 、1,1,5 、2,1,6 、3,2,3 、4,2,4 （特定項目スペック情報）、1,1,1 、1,2,1 
、2,1,2 （リレーション情報）が表示される。続いて、2 ( 構造ルールＩＤ）、2,6,1 、・・・（指定スペック情報）が順に表示される。このような各項目は数字である必要はなく、記号でもよく、また、それぞれ数字、記号は、カンマ区切りとなっている。
【００８０】
図１１は、テンプレート作成用の元データとしての画像情報を含む一次商品情報データ等をデータベース１に入力提供する入力元（ユーザ、クライアント、商品情報提供者、データベースシステム管理者、あるいはユーザから依頼を受けたデータベースシステム管理者等）のデータ構造ルールＩＤ（データ構造）の一例である。例えば、1 ( 構造ルールＩＤ）、1,1 、1,2 、1,3 、2,1 、2,2 （指定スペック情報）、0,1,4 、1,1,5 、2,1,6 、3,2,3 、4,2,4 （特定項目スペック情報）、1,1,1 、1,2,1 、2,1,2 （リレーション情報）が表示される。このような各項目は数字である必要はなく、記号でもよく、また、それぞれ数字、記号は、カンマ区切りとなっている。
【００８１】
入力元のデータ構造ルールとして、各商品について、それぞれが持っているスペックやリレーションを定めている。これは、入力元（例えばユーザ）のニーズに合わせて、開発者用、デザイナー用、営業用など、複数を設定することが可能である。また、入力元の構造ルールＩＤは、各構造ルールについて、一意に定められたＩＤであるが、数字である必要はない。
【００８２】
図１２は、出力対象となる指定スペック情報のデータ構造ルールの一例であり、出力対象とするスペックを指定するものであり、例えば、スペックタイプＩＤとして「１」、スペックＩＤとして「１」を指定する。スペックタイプＩＤは、出力対象となるスペックのスペックタイプを示し、一意性のあるＩＤを記述する。スペックＩＤは、出力対象となるスペックを示し、一意性のあるＩＤを記述する。
【００８３】
図１３は、出力先の特定項目スペック情報のデータ構造ルールの一例を示し、出力先の固定スペックに対応する入力元のスペックを指定するものであり、例えば、属性ＩＤとして「１」、スペックタイプＩＤとして「１」、スペックＩＤとして「５」を指定する。属性ＩＤは、出力先の固定スペックにあたる、一意性のあるＩＤを記述し、スペックタイプＩＤは、属性ＩＤに対応するスペックに出力される入力元のスペックＩＤを記述し、スペックＩＤは、属性ＩＤに対応するスペックに出力される入力元のスペックＩＤを記述するものである。
【００８４】
図１４は、出力先のリレーション情報のデータ構造ルールの一例であり、出力先のデータベースに反映させるリレーションを全て記述するものであり、例えば、属性名ＩＤとして「１」、属性値ＩＤとして「２」、種別として「１」を指定する。属性名ＩＤは、出力させるリレーションの属性名に当たる一意性のあるＩＤを記述し、属性値ＩＤは、出力させるリレーションの属性値に当たる一意性のあるＩＤを記述し、種別は、出力先において設定されているリレーションのどこに出力させるかを設定する。
【００８５】
図１５は、本発明におけるスペック対応付けの一例を説明するブロック図であり、入力元の商品情報データベース１側には、スペックを自由に設定できる完全可変型のスペック対応付け機能を備え、出力先の記録媒体８（データベース又はＣＤ−ＲＯＭなど）には、標準（固定）スペック（例えば、品番、商品名、価格、単価、コメント、・・・）のみ対応付けできる標準（固定）スペック対応付け機能を備え、又、必要に応じて、各案件に対して個別に設定されるカスタマイズ（可変）スペック対応付け機能を備えている。
【００８６】
図１５においては、まず、例えばユーザ等の入力元は端末７にてネットワークＮを介してＷＥＢサーバ３にアクセスし、ＷＥＢサーバ３からの指令によりデータベース１から出力先（ユーザ本人又はユーザの指定する又は提携先の第三者）側の標準（固定）スペック
（例えば、品番、商品名、価格、単価、コメント、・・・）と、データベース１側のスペックを読み出し、データベース１側のスペック（例えばスペック１（品名）、スペック２（メーカー名）、スペック３（品番）、スペック４（価格）、スペック５（色）、・・・）が出力先のどのスペックに当たる値なのかを指定して、点線にて示すように互いのスペックの対応付けを行う。そして、データベース１は、テンプレート変換エンジン４によるデータ変換時に入力元が出力先に出力するための出力スペック（例えば、スペック１の品名、スペック３の品番、スペック４の価格）を選択して出力する。
【００８７】
図１６は、本発明におけるリレーション対応付けの一例を説明するブロック図であり、入力元の商品情報データベース１側には、リレーションを自由にカスタマイズ可能なカスタマイズ（可変）型のリレーション対応付け機能を備え、出力先の記録媒体８（データベース又はＣＤ−ＲＯＭなど）には、標準（固定）リレーション（例えば、素材など）のみ対応付けできる標準（固定）リレーション対応付け機能を備え、又、必要に応じて、各案件に対して個別に設定されるカスタマイズ（可変）リレーション対応付け機能を備えている。
【００８８】
図１６においては、例えばユーザである入力元は端末７にてネットワークＮを介してＷＥＢサーバ３にアクセスし、ＷＥＢサーバ３からの指令によりデータベース１から出力先（例えばユーザ本人又はユーザの指定する又は提携先の第三者）側の標準（固定）リレーション（例えば、商品情報データとして、その商品の関連画像情報（メイン画像、サブ画像）、その商品の素材情報、関連商品情報（子供用、大人用など））と、データベース１側のリレーション（例えば、素材など）を読み出し、データベース１側のリレーションが出力先のどのスペックに当たる値なのかを指定して、点線にて示すように互いのスペックの対応付けを行う。そして、データベース１は、テンプレート変換エンジン４によるデータ変換時に出力先が入力元に出力するための出力リレーション（例えば、関連画像におけるメイン画像、素材におけるＣＡＤ、ＪＰＥＧデータ）を選択して出力する。
【００８９】
図１７は、ネットワークＮを介してＷＥＢサーバ３にアクセスした入力元側の端末７により、ＷＥＢサーバ３とデータベース１とテンプレート変換プログラムを備えたテンプレート変換エンジン４によりテンプレート操作する際の入力元側の端末７（パソコンなど）のディスプレイに表示されるテンプレート選択画面の一例である。
【００９０】
図１７において、ユーザ側の端末７のディスプレイには、テンプレート選択画面が表示され、例えば、各種既存の形式の「テンプレート１、２、３、４、・・・」の選択タグ見出しと、「テンプレート作成」、「テンプレート編集」、「テンプレート削除」などの操作ボタンが表示される。「テンプレート１、２、３、４、・・・」のうちのいずれか１つのタグをクリックして選択し、続いて、「テンプレート作成」、又は「テンプレート編集」、又は「テンプレート削除」のボタンをクリックすることにより、既存のテンプレートが表示され、表示された既存のテンプレートをオリジナルとして、新たに入力元の操作によりテンプレートの作成、又はテンプレートの編集、又はテンプレートの削除を行う。
【００９１】
図１８は、ネットワークＮを介してＷＥＢサーバ３にアクセスした入力元側の端末７と、ＷＥＢサーバ３の指令によりデータベース１から出力されて、入力元側の端末７（パソコンなど）のディスプレイに表示される出力先が持つ全ての構造ルールを示す構造ルール選択画面である。
【００９２】
図１８において、入力元側の端末７のディスプレイには、構造ルール指定画面が表示され、例えば、項目として、「選択」と、「オブジェクト構造ルール」が表示される。「選択」の項目にはチェックボックスが設けられ、「オブジェクト構造ルール」の項目には、各種の構造ルール（例えば、商品・家電ルール、商品・家具ルール、商品住説ルール、商
品・照明ルール、商品・文具ルールなど）が表示される。
【００９３】
このように「オブジェクト構造ルール」の項目には、出力先が持つ全ての構造ルールが表示され、この中から、出力先が入力元に出力する構造ルールを「選択」項目のチェックボックスにて選択指定して、「決定」ボタンをクリックすることにより、入力元にその指定した構造ルールが出力される。
【００９４】
図１９は、ネットワークＮを介してＷＥＢサーバ３にアクセスした入力元側の端末７とＷＥＢサーバ３の指令によりデータベース１から出力されて、入力元側の端末７（パソコンなど）のディスプレイに表示される入力元が持つ全てのスペックを示す出力スペック設定画面である。
【００９５】
図１９において、入力元側の端末７のディスプレイには、出力スペック設定画面が表示され、例えば、項目として、「選択」と、「スペックタイプ」と、「スペック」と、「辞書体系」が表示される。「選択」の項目にはチェックボックスが設けられ、「スペックタイプ」の項目には、各種のスペックタイプ（例えば、共通スペック、商品スペックなど）が表示され、「スペック」の項目には各種スペック（例えば、「品番」、「品名」、「価格」、「サイズ」、「発売日」など）が表示され、「辞書体系」の項目には「例えば、物理化学量などを表す単位記号など）が表示される。
【００９６】
このように「スペックタイプ」及び「スペック」の項目には、入力元が持つ全てのスペックが表示され、この中から、入力先が出力先に出力する出力スペックを「選択」項目のチェックボックスにて選択指定して、「決定」ボタンをクリックすることにより、入力元から出力先にその指定した出力スペックが出力される。
【００９７】
図２０は、ネットワークＮを介してＷＥＢサーバ３にアクセスした入力元側の端末７と、ＷＥＢサーバ３の指令によりデータベース１から出力されて、端末７（パソコンなど）のディスプレイに表示される特定項目スペック対応付け設定画面である。この特定項目スペック対応付け設定画面は、図１５に示すように、入力元が持つ全ての出力スペック（スペックタイプ及びスペック）と、出力先が持つ全ての特定項目スペック（標準（固定）スペック又は端末７にてリアルタイムで特定したカスタマイズスペック）とをＷＥＢサーバ３上にて対応付けすることにより、互いに対応付けされた両者のスペックのみを表示したスペック対応付け設定画面である。
【００９８】
図２０において、入力元側の端末７のディスプレイには、スペック対応付け設定画面が表示され、横方向に、入力元が持つ全ての出力スペックの項目として、例えば、「スペックタイプ」と、「スペック」と、「辞書体系」とが表示され、また、出力先が持つ全ての特定項目スペックの項目として、例えば、「表示用品番」、「品名」、「価格」、「価格単位」、「コメント」が表示される。
【００９９】
図２０に示すように、入力元の出力スペックとして表示される項目のうち「スペックタイプ」の項目には、「指定しない」、「共通スペック」、「共通スペック」、「共通スペック」、「商品スペック」などが、「スペック」の項目には、共通スペックの「品番」、「品名」、「価格」、商品スペックの「サイズ」などが、また、「辞書体系」の項目には、共通スペックの価格の「英語」による単位が表示される。
【０１００】
そして、ラジオボタンを用いるなどして、入力元の各出力スペックが、出力先の各特定項目スペック（「表示用品番」、「品名」、「価格」、「価格単位」、「コメント」）のどれに対応するかを設定する。出力先の各特定項目スペックが数字型の場合には、数字型以外の型を持つスペックは指定できない。入力元の出力スペックの中に、出力先のスペッ
クに当たるものが存在しない場合には、スペックタイプの項目の「指定しない」を選択する。また、マッピングされなかったものは、特別スペックとなる。
【０１０１】
図２１は、ネットワークＮを介してＷＥＢサーバ３にアクセスした入力元側の端末７とＷＥＢサーバ３の指令によりデータベース１から出力されて、入力元側の端末７（パソコンなど）のディスプレイに表示されるリレーション設定画面であり、入力元の出力スペックを選択するための出力スペック選択画面である。この出力スペック選択画面は、図１６に示すように、入力元が持つ全てのリレーションが、出力先が持つ出力リレーションのどれに対応するかをＷＥＢサーバ３上にて選択するために表示される入力元のデータベース１が使用しているリレーションの一覧の画面である。
【０１０２】
図２１において、入力元側の端末７のディスプレイには、出力スペック選択画面が表示され、横方向に、図１４に示すように、出力先の記録媒体８に反映させるための入力元が持つリレーションの項目として、例えば、「属性名」、「属性値」、「選択項目」が表示される。「属性名」の項目には、「関連画像」、「関連画像」、「素材」、「素材」、関連商品」が表示され、「属性値」の項目には、関連画像として「代表（メイン）画像」、「サブ画像」が、素材として、例えば、「ＣＡＤ」、「ＭＳ−Ｏｆｆｉｃｅ」等が、また関連商品として「子商品」が、それぞれ表示される。
【０１０３】
図２１に示すように、属性名；関連画像、属性値；代表画像として、選択項目；「未出力」、「画像」、「線図」の選択肢が表示され、属性名；関連画像、属性値；サブ画像として、選択項目；「未出力」、「画像」、「線図」の選択肢が表示され、属性値；素材、属性名；ＣＡＤとして、選択項目；「未出力」、「画像」、「線図」の選択肢が表示され、属性名；素材、属性値；ＭＳ−Ｏｆｆｉｃｅとして、選択項目；「未出力」、「素材」の選択肢が表示され、属性名；関連商品、属性値；子商品として、選択項目；「未出力」、「関連商品」の選択肢が表示される。この「選択項目」には、出力先のリレーション以外に「未出力」という項目があるが、出力しないリレーションは「未出力」を選択することができるようになっている。
【０１０４】
図２２は、ネットワークＮを介してＷＥＢサーバ３にアクセスした入力元側の端末７とＷＥＢサーバ３の指令によりデータベース１から出力されて、端末７（パソコンなど）のディスプレイに表示されるテンプレート名設定画面（テンプレート名入力画面）であり、設定したテンプレートの名前を設定するもので、設定名はファイル名となる。
【０１０５】
図２３は、ネットワークＮを介してＷＥＢサーバ３にアクセスした入力元側の端末７とＷＥＢサーバ３の指令によりデータベース１から出力されて、入力元の端末７（パソコンなど）のディスプレイに表示される一次商品情報としての商品選択画面である。入力元のデータベース１内に含まれる一次商品情報データの商品のリストから表示された商品群の中から、チェックボックスなどを用いて、出力先にデータを送る商品を選択する画面である。
【０１０６】
図２４は、ネットワークＮを介してＷＥＢサーバ３にアクセスした入力元（例えばユーザ、クライアント、商品情報提供者、データベースシステム管理者、あるいはユーザから依頼を受けたデータベースシステム管理者等）の端末７とＷＥＢサーバ３の指令によりデータベース１から出力されて、その端末７（パソコンなど）のディスプレイに表示される出力形式選択画面であり、テンプレート化された後の画像情報を含む二次商品情報の出力先（ユーザ、クライアント、商品情報提供者、データベースシステム管理者、あるいはユーザから依頼を受けたデータベースシステム管理者等のうちのいずれか１乃至複数又は全ての端末、データベース、記録媒体のいずれか）であり、例えは端末７を操作するユーザ本人、又はユーザ本人の許可を得た他のユーザ、第三者のデータベース、ＣＤ−ＲＯＭな
ど記録媒体８を選択するものである。例えば、図２４に示すように、「別の商品情報データベース」、「△△業界用データベース」、「××業界用データベース」、「ＣＤ−ＲＯＭ」の選択肢が表示され、機能内にてサポートできる出力先にてラジオボタンで１つを選択することができる。
【０１０７】
図２５は、ネットワークＮを介してＷＥＢサーバ３にアクセスした入力元側の端末７とＷＥＢサーバ３の指令によりデータベース１から出力されて、その端末７（パソコンなど）のディスプレイに表示される出力設定選択画面であり、入力側によって作成したテンプレート化した二次商品情報の中から、今回、出力先への出力に使用するテンプレートを選択するものである。この出力設定選択画面では、テンプレート化した二次商品情報の出力名（情報名）、出力先名（データベース名、ＣＤ−ＲＯＭ名など記録媒体８の名称）も入力設定でき、この出力名（情報名）や出力先名は、出力するテンプレート内とは別に出力時に指定することができる。
【０１０８】
このようにして、入力元側において、図１７〜図２５に示した操作の経緯を経ることにより、前述した図１０〜図１４に示すようなテンプレート方式にて出力するためのテンプレートファイルデータが、出力先側の端末あるいはＣＤ−ＲＯＭなどの記録媒体８に出力され、記録される。そして、前記出力先側の適宜なデータ・情報出力手段（ディスプレイ画面、出力プリンター等）には、その端末あるいはＣＤ−ＲＯＭなどの記録媒体８に入力され記録された前記テンプレートファイルデータに基づく商品情報が出力表示されるものである。
【図面の簡単な説明】
【０１０９】
【図１】本発明の商品情報データベースシステムのシステムブロック図の一例。
【図２】本発明の商品情報データベースシステムにおけるデータ変換プロセスを説明するブロック図。
【図３】本発明の商品情報データベースシステムのデータベースに収納されている画像情報を含む商品情報データのデータ構造及びテンプレートの形式の一例を示す説明図。
【図４】本発明の商品情報データベースシステムのデータベースに収納されている画像情報を含む商品情報データのデータ構造及びテンプレートの形式の一例を示す説明図。
【図５】本発明の商品情報データベースシステムのデータベースに収納されている画像情報を含む商品情報データの商品構造ルールの一例を示す説明図。
【図６】本発明の商品情報データベースシステムのデータベースに収納されている画像情報を含む商品画像情報データの商品構造ルールの一例を示す説明図。
【図７】本発明の商品情報データベースシステムの一例を説明するシステムフローチャート図。
【図８】本発明の商品情報データベースシステムの他の例を説明するシステムフローチャート図。
【図９】本発明の商品情報データベースシステムのデータ構造におけるスペックとリレーションの構造を示す説明図。
【図１０】本発明の商品情報データベースシステムにおけるテンプレートファイルの一例を示す説明図。
【図１１】本発明の商品情報データベースシステムにおけるデータ構造ルールと構造ルールＩＤを示す説明図。
【図１２】本発明の商品情報データベースシステムにおける出力対象となる指定スペック情報のデータ構造ルールの一例であり、指定スペック情報を示す説明図。
【図１３】本発明の商品情報データベースシステムにおける出力先の特定項目スペック情報のデータ構造ルールの一例を示す説明図。
【図１４】本発明の商品情報データベースシステムにおける出力先のリレーション情報のデータ構造ルールの一例を示す説明図。
【図１５】本発明の商品情報データベースシステムにおけるスペック対応付けの一例を説明するブロック図。
【図１６】本発明の商品情報データベースシステムにおけるリレーション対応付けの一例を説明するブロック図。
【図１７】本発明の商品情報データベースシステムにおけるテンプレート操作する際のユーザ側端末のディスプレイに表示されるテンプレート選択画面の一例を示す説明図。
【図１８】本発明の商品情報データベースシステムにおけるテンプレート操作する際のユーザ側端末のディスプレイに表示される構造ルール指定画面の一例を示す説明図。
【図１９】本発明の商品情報データベースシステムにおけるテンプレート操作する際のユーザ側端末のディスプレイに表示される出力スペック設定画面の一例を示す説明図。
【図２０】本発明の商品情報データベースシステムにおけるテンプレート操作する際のユーザ側端末のディスプレイに表示される特定項目スペック対応付け画面の一例を示す説明図。
【図２１】本発明の商品情報データベースシステムにおけるテンプレート操作する際のユーザ側端末のディスプレイに表示されるリレーション設定画面の一例を示す説明図。
【図２２】本発明の商品情報データベースシステムにおけるテンプレート操作する際のユーザ側端末のディスプレイに表示されるテンプレート名設定画面の一例を示す説明図。
【図２３】本発明の商品情報データベースシステムにおけるテンプレート操作する際のユーザ側端末のディスプレイに表示される商品選択画面の一例を示す説明図。
【図２４】本発明の商品情報データベースシステムにおけるテンプレート操作する際のユーザ側端末のディスプレイに表示される出力形式選択画面の一例を示す説明図。
【図２５】本発明の商品情報データベースシステムにおけるテンプレート操作する際のユーザ側端末のディスプレイに表示される出力設定画面の一例を示す説明図。
【図２６】従来の商品情報データベースシステムのシステムブロック図。
【図２７】従来の商品情報データベースシステムにおける商品情報データを作成する場合のマルチスペックを示す説明図。
【図２８】従来の商品情報データベースシステムにおける商品情報データを作成する場合のマルチリレーションを示す説明図。
【図２９】従来の商品情報データベースシステムにおける商品構造ルールを示す説明図。
【図３０】従来の商品情報データベースシステムにおける商品構造ルールを示す説明図。
【図３１】従来の商品情報データベースシステムにおける商品情報データのデータ変換プロセスを説明するブロック図。
【図３２】従来の商品情報データベースシステムにおける商品情報データのデータ変換プロセスを説明するブロック図。
【符号の説明】
【０１１０】
Ｎ…ネットワーク
１…データベース
３…ＷＥＢサーバ（アプリケーションサーバ）
４…テンプレート変換エンジン
７…各ユーザ端末
８…出力先の記録媒体
【図１】
2007179139.tif 000003
【図２】
2007179139.tif 000004
【図３】
2007179139.tif 000005
【図４】
2007179139.tif 000006
【図５】
2007179139.tif 000007
【図６】
2007179139.tif 000008
【図７】
2007179139.tif 000009
【図８】
2007179139.tif 000010
【図９】
2007179139.tif 000011
【図１０】
2007179139.tif 000012
【図１１】
2007179139.tif 000013
【図１２】
2007179139.tif 000014
【図１３】
2007179139.tif 000015
【図１４】
2007179139.tif 000016
【図１５】
2007179139.tif 000017
【図１６】
2007179139.tif 000018
【図１７】
2007179139.tif 000019
【図１８】
2007179139.tif 000020
【図１９】
2007179139.tif 000021
【図２０】
2007179139.tif 000022
【図２１】
2007179139.tif 000023
【図２２】
2007179139.tif 000024
【図２３】
2007179139.tif 000025
【図２４】
2007179139.tif 000026
【図２５】
2007179139.tif 000027
【図２６】
2007179139.tif 000028
【図２７】
2007179139.tif 000029
【図２８】
2007179139.tif 000030
【図２９】
2007179139.tif 000031
【図３０】
2007179139.tif 000032
【図３１】
2007179139.tif 000033
【図３２】
2007179139.tif 000034